(57)【要約】【課題】電力制御システムのようにエネルギーの需給状態を制御および管理するシステムにおいて、柔軟に時間範囲を変更したグラフ画像を作成する。【解決手段】本発明に係る管理装置１２は、需要家におけるエネルギーに関する変量の履歴を表示するグラフ画像の時間範囲を変更する指示を受信する受信部２３と、指示に基づいて時間範囲を変更したグラフ画像を作成する制御部２４とを備え、制御部２４は、受信部２３により、グラフ画像に対して拡大／縮小を示唆する第１の操作に基づく指示、およびグラフ画像に表示される複数のオブジェクトから１つのオブジェクトを選択する第２の操作に基づく指示のいずれを受信した場合にも時間範囲を変更したグラフ画像を作成する。【選択図】図１
2014020840.tif 000002
【特許請求の範囲】
【請求項１】
需要家におけるエネルギーに関する変量の履歴を表示するグラフ画像の時間範囲を変更する指示を受信する受信部と、
前記指示に基づいて前記時間範囲を変更したグラフ画像を作成する制御部と
を備え、
前記制御部は、前記受信部により、前記グラフ画像に対して拡大／縮小を示唆する第１の操作に基づく指示、および前記グラフ画像に表示される複数のオブジェクトから１つのオブジェクトを選択する第２の操作に基づく指示のいずれを受信した場合にも、前記時間範囲を変更した前記グラフ画像を作成する
ことを特徴とする管理装置。
【請求項２】
請求項１に記載の管理装置であって、
前記第１の操作は、前記グラフ画像上の２箇所の接触位置を接近もしくは離間させる操作であることを特徴とする管理装置。
【請求項３】
請求項１または２に記載の管理装置であって、前記複数のオブジェクトは、時、日、週、月または年を示すオブジェクトを少なくとも２つ以上含むことを特徴とする管理装置。
【請求項４】
請求項１から３のいずれか一項に記載の管理装置であって、前記制御部は、前記１つのオブジェクトを選択する前記操作によって前記グラフ画像の前記時間範囲を変更する指示を受信した場合に、選択された前記１つのオブジェクトの表示態様を変更することを特徴とする管理装置。
【請求項５】
請求項４に記載の管理装置であって、前記制御部は、前記第１の操作によって前記グラフ画像の前記時間範囲を変更する指示を受信した場合に、前記指示に基づいて変更された時間範囲に対応する前記１つのオブジェクトの表示態様を変更することを特徴とする管理装置。
【請求項６】
請求項４または５に記載の管理装置であって、変更された前記１つのオブジェクトの表示態様は、変更前のオブジェクト態様に対し、自然物を意匠化した画像を重畳したものであることを特徴とする管理装置。
【請求項７】
請求項１から６のいずれか一項に記載の管理装置であって、前記制御部は、前記時間範囲を閾値と比較し、前記時間範囲が前記閾値以上の場合は前記変量の積算値を用いて前記グラフ画像を作成し、前記時間範囲が前記閾値未満の場合は前記変量の瞬時値を用いて前記グラフ画像を作成することを特徴とする管理装置。
【請求項８】
需要家におけるエネルギーに関する変量の履歴を表示するグラフ画像を表示する表示部と、
前記グラフ画像の時間範囲を変更する指示を検出する入力検出部と、
前記指示に基づいて前記時間範囲を変更したグラフ画像を作成する制御部と
を備え、
前記制御部は、前記入力検出部により、前記グラフ画像に対して拡大／縮小を示唆する第１の操作、および、前記グラフ画像に表示される複数のオブジェクトから１つのオブジェクトを選択する第２の操作のいずれを検出した場合にも、前記時間範囲を変更した前記グラフ画像を作成する
ことを特徴とする表示装置。
【請求項９】
需要家におけるエネルギーに関する変量の履歴を表示するグラフ画像を表示する第１の表示ステップと、
前記グラフ画像に対して拡大／縮小を示唆する第１の操作、または、前記グラフ画像に表示される複数のオブジェクトから１つのオブジェクトを選択する第２の操作のいずれかを検出する検出ステップと、
前記検出ステップで検出した操作に基づいて前記時間範囲を変更したグラフ画像を作成する作成ステップと、
前記作成ステップで作成した前記グラフ画像を表示する第２の表示ステップと
を備える表示方法。
【請求項１０】
需要家におけるエネルギーに関する変量の履歴を表示するグラフ画像を表示するためのコンピュータに、
前記グラフ画像に対して拡大／縮小を示唆する第１の操作、または、前記グラフ画像に表示される複数のオブジェクトから１つのオブジェクトを選択する第２の操作のいずれかを検出する検出ステップと、
前記検出ステップで検出した操作に基づいて前記時間範囲を変更したグラフ画像を作成する作成ステップと、
前記作成ステップで作成した前記グラフ画像を表示するための処理を行う表示ステップと
を実行させるための表示制御プログラム。
【発明の詳細な説明】
【技術分野】
【０００１】
本発明は、変量を監視および制御する管理装置、表示装置、当該表示装置の表示方法、および当該管理装置を機能させる表示制御プログラムに関するものである。
【背景技術】
【０００２】
近年、需要家ごとに設けられる電力管理装置（例えば、ＨＥＭＳ：Ｈｏｍｅ  Ｅｎｅｒｇｙ  Ｍａｎａｇｅｍｅｎｔ  Ｓｙｓｔｅｍ）によって、需要家に設けられる負荷機器や需要家に設けられる分散電源などを制御する技術が知られている（特許文献１参照）。電力管理装置は、電力管理装置が制御または監視する負荷機器の消費電力量、分散電力の発電電力量、および商用電源からの供給電力量などの様々な電力量の時間変化を示すグラフ画像を作成可能である。
【先行技術文献】
【特許文献】
【０００３】
【特許文献１】特開２００３−３０９９２８号公報
【発明の概要】
【発明が解決しようとする課題】
【０００４】
従来の電力管理装置が作成するグラフ画像は時間範囲が固定的である一方で、時間範囲を自由に変更可能なグラフ画像の作成が求められている。また、時間範囲を変更する操作として柔軟な操作方法が求められている。
【０００５】
したがって、かかる事情に鑑みてなされた本発明の目的は、電力制御システムのようにエネルギーの需給状態を制御および管理するシステムにおいて、柔軟に時間範囲を変更したグラフ画像を作成することができる管理装置、表示装置、表示方法、および画像作成プログラムを提供することにある。
【課題を解決するための手段】
【０００６】
上記目的を達成する第１の観点に係る管理装置の発明は、
需要家におけるエネルギーに関する変量の履歴を表示するグラフ画像の時間範囲を変更する指示を受信する受信部と、
前記指示に基づいて前記時間範囲を変更したグラフ画像を作成する制御部と
を備え、
前記制御部は、前記受信部により、前記グラフ画像に対して拡大／縮小を示唆する第１の操作に基づく指示、および前記グラフ画像に表示される複数のオブジェクトから１つのオブジェクトを選択する第２の操作に基づく指示のいずれを受信した場合にも、前記時間範囲を変更した前記グラフ画像を作成する
ことを特徴とする。
【０００７】
第２の観点に係る管理装置の発明は、第１の観点に係る管理装置であって、
前記第１の操作は、前記グラフ画像上の２箇所の接触位置を接近もしくは離間させる操作であることを特徴とする。
【０００８】
第３の観点に係る発明は、第１または第２の観点に係る管理装置であって、前記複数のオブジェクトは、時、日、週、月または年を示すオブジェクトを少なくとも２つ以上含むことを特徴とする。
【０００９】
第４の観点に係る発明は、第１から第３のいずれかの観点に係る管理装置であって、前記制御部は、前記１つのオブジェクトを選択する前記操作によって前記グラフ画像の前記時間範囲を変更する指示を受信した場合に、選択された前記１つのオブジェクトの表示態様を変更することを特徴とする。
【００１０】
第５の観点に係る発明は、第４の観点に係る管理装置であって、前記制御部は、前記第１の操作によって前記グラフ画像の前記時間範囲を変更する指示を受信した場合に、前記指示に基づいて変更された時間範囲に対応する前記１つのオブジェクトの表示態様を変更することを特徴とする。
【００１１】
第６の観点に係る発明は、第４または第５の観点に係る管理装置であって、変更された前記１つのオブジェクトの表示態様は、変更前のオブジェクト態様に対し、自然物を意匠化した画像を重畳したものであることを特徴とする。
【００１２】
第７の観点に係る発明は、第１から第６のいずれかの観点に係る管理装置であって、前記制御部は、前記時間範囲を閾値と比較し、前記時間範囲が前記閾値以上の場合は前記変量の積算値を用いて前記グラフ画像を作成し、前記時間範囲が前記閾値未満の場合は前記変量の瞬時値を用いて前記グラフ画像を作成することを特徴とする。
【００１３】
上記目的を達成する第８の観点に係る表示装置の発明は、
需要家におけるエネルギーに関する変量の履歴を表示するグラフ画像を表示する表示部と、
前記グラフ画像の時間範囲を変更する指示を検出する入力検出部と、
前記指示に基づいて前記時間範囲を変更したグラフ画像を作成する制御部と
を備え、
前記制御部は、前記入力検出部により、前記グラフ画像に対して拡大／縮小を示唆する第１の操作、および、前記グラフ画像に表示される複数のオブジェクトから１つのオブジェクトを選択する第２の操作のいずれかを検出した場合にも、前記時間範囲を変更した前記グラフ画像を作成する
ことを特徴とする。
【００１４】
上述したように本発明の解決手段を装置として説明してきたが、本発明はこれらに実質的に相当する方法、プログラム、プログラムを記録した記憶媒体としても実現し得るものであり、本発明の範囲にはこれらも包含されるものと理解されたい。
【００１５】
例えば、本発明を方法として実現させた第９の観点に係る表示方法の発明は、
需要家におけるエネルギーに関する変量の履歴を表示するグラフ画像を表示する第１の表示ステップと、
前記グラフ画像に対して拡大／縮小を示唆する第１の操作、または、前記グラフ画像に表示される複数のオブジェクトから１つのオブジェクトを選択する第２の操作のいずれかを検出する検出ステップと、
前記検出ステップで検出した操作に基づいて前記時間範囲を変更したグラフ画像を作成する作成ステップと、
前記作成ステップで作成した前記グラフ画像を表示する第２の表示ステップと
を備える。
【００１６】
また、本発明をプログラムとして実現させた第１０の観点に係る表示制御プログラムの発明は、
需要家におけるエネルギーに関する変量の履歴を表示するグラフ画像を表示するためのコンピュータに、
前記グラフ画像に対して拡大／縮小を示唆する第１の操作、または、前記グラフ画像に表示される複数のオブジェクトから１つのオブジェクトを選択する第２の操作のいずれかを検出する検出ステップと、
前記検出ステップで検出した操作に基づいて前記時間範囲を変更したグラフ画像を作成する作成ステップと、
前記作成ステップで作成した前記グラフ画像を表示するための処理を行う表示ステップと
を実行させる。
【発明の効果】
【００１７】
本発明によれば、電力制御システムのようにエネルギーの需給状態を制御および管理するシステムにおいて、柔軟に時間範囲を変更したグラフ画像を作成することができる管理装置、表示装置、表示方法、および画像作成プログラムを提供することができる。
【図面の簡単な説明】
【００１８】
【図１】本発明の第１の実施形態に係る電力制御システムの概略構成を示すブロック図である。
【図２】図１における表示装置の概略構成を示す機能ブロック図である。
【図３】図１における管理装置の概略構成を示す機能ブロック図である。
【図４】特定の日付における商用電源からの電力の供給量の履歴を示したグラフ画像の一例である。
【図５】特定の月における商用電源からの電力の供給量の履歴を示したグラフ画像の一例である。
【図６】第１の実施形態において管理装置の制御部が実行する処理を示すフローチャートである。
【図７】本発明の第２の実施形態に係る電力制御システムの概略構成を示すブロック図である。
【図８】図７における表示装置の概略構成を示す機能ブロック図である。
【図９】図７における管理装置の概略構成を示す機能ブロック図である。
【図１０】第２の実施形態において表示装置の制御部が実行する処理を示すフローチャートである。
【発明を実施するための形態】
【００１９】
以下、本発明に係る実施形態について、図面を参照して説明する。
【００２０】
まず、第１の実施形態に係る電力制御システムについて説明する。本実施形態に係る電力制御システムは、電力系統（商用電源）から供給される電力の他に、例えば太陽光発電などによって電力を供給するシステム、および電力を充放電することができる蓄電池システムのうち少なくとも一方を備えるようにするのが好適である。
【００２１】
また、電力を供給するシステムは、太陽光発電によって電力を供給するシステムに限定されるものではなく、例えばＳＯＦＣ（Solid Oxide Fuel Cell）などの燃料電池を含む燃料電池システムなど、種々の発電システムとすることができる。以下説明する本実施形態においては、発電システムとして太陽光発電システムを備え、さらに蓄電池システムとして蓄電部を備える例について説明する。
【００２２】
図１は、本実施形態に係る電力制御システムの概略構成を示す機能ブロック図である。図１に示すように、本実施形態に係る電力制御システム１０は、表示装置１１、管理装置１２、スマートメータ１３、パワーコンディショナ１４、太陽光発電システム１５、および蓄電部１６を含んで構成される。
【００２３】
図１において、各機能ブロックを結ぶ実線は、電力の流れを表す。また、図１において、各機能ブロックを結ぶ破線は、制御信号または通信される情報の流れを表す。当該破線が示す通信は有線通信としてもよいし、無線通信としてもよい。
【００２４】
制御信号および情報の通信には、様々な方式を採用可能である。例えば、管理装置１２と、表示装置１１、スマートメータ１３、およびパワーコンディショナ１４との通信には、ＺｉｇＢｅｅ（登録商標）などの近距離通信方式による通信を採用することができる。また、管理装置１２と負荷機器１８との通信には、赤外線通信、電力線搬送通信（ＰＬＣ：Ｐｏｗｅｒ  Ｌｉｎｅ  Ｃｏｍｍｕｎｉｃａｔｉｏｎ）、ＺｉｇＢｅｅ、Ｅｃｈｏｎｅｔ（登録商標）など、種々の方式による通信を採用することができる。
【００２５】
電力制御システム１０は、商用電源５０から供給される電力の他、太陽光発電システム１５が発電する電力、および蓄電部１６に充電された電力のうち放電された電力を、負荷機器１８に供給可能である。
【００２６】
表示装置１１は、管理装置１２による電力の制御状態を表示する。表示装置１１の構成についての詳細は後述する。
【００２７】
管理装置１２は、図１に示す電力制御システム１０における各機器の電力を制御および管理する。管理装置１２の構成についての詳細は後述する。
【００２８】
スマートメータ１３は、商用電源５０に接続されて、商用電源５０から供給される電力を計測する。また、スマートメータ１３は、分電盤１７にも接続されて、太陽光発電システム１５が発電してパワーコンディショナ１４から分電盤１７を介して電力会社に売電する電力を計測する。スマートメータ１３は、計測した電力を、管理装置１２に通知可能である。
【００２９】
また、スマートメータ１３は、系統ＥＭＳ（Ｅｎｅｒｇｙ  Ｍａｎａｇｅｍｅｎｔ  Ｓｙｓｔｅｍ）６０から、例えば電力に関する予測などの情報を受信可能である。ここで、系統ＥＭＳ６０は、電力に関する各種の予測および制御などを行う設備であり、一般的には、例えば電力会社などに設置される。系統ＥＭＳ６０は、例えばＭＤＭＳ（メータデータマネジメントシステム）を構成するものを採用可能である。この系統ＥＭＳ６０は、各種の電力に関する情報を記憶するデータベース６１を有しており、スマートメータ１３が計測した結果の情報を収集して蓄積することもできる。また、系統ＥＭＳ６０は、ネットワーク７０に接続可能である。
【００３０】
パワーコンディショナ１４は、太陽光発電システム１５および蓄電部１６から供給される直流の電力を、交流の電力に変換する。パワーコンディショナ１４は、変換した交流の電力を、分電盤１７を介して各負荷機器１８に供給する。また、パワーコンディショナ１４は、太陽光発電システム１５が発電した電力に余剰がある場合には、変換した交流の電力を、分電盤１７を介して電力会社に売電することもできる。また、パワーコンディショナ１４は、商用電源５０から供給される交流の電力を、蓄電部１６に充電するための直流の電力に変換可能である。
【００３１】
太陽光発電システム１５は、太陽光を利用して発電する。このため、太陽光発電システム１５は、太陽電池を備えており、太陽光のエネルギーを直流の電力に変換する。本実施形態において、太陽光発電システム１５は、例えば家の屋根などにソーラパネルを設置して、太陽光を利用して発電するような態様を想定している。しかしながら、本発明において、太陽光発電システム１５は、太陽光のエネルギーを電力に変換できるものであれば、任意のものを採用することができる。
【００３２】
太陽光発電システム１５が発電する電力は、上述したように、パワーコンディショナ１４によって交流に変換されてから、各負荷機器１８へ供給、および／または、電力会社に売電可能である。また、太陽光発電システム１５が発電した電力により、蓄電部１６が充電可能であってもよく、さらには直流のまま負荷機器１８に供給される構成であってもよい。
【００３３】
蓄電部１６は、蓄電池を備えており、この蓄電池に充電された電力を放電することにより、電力を供給可能である。また、蓄電部１６は、商用電源５０または太陽光発電システム１５等から供給される電力を充電可能である。図１に示すように、蓄電部１６から放電される電力も、各負荷機器１８に供給可能である。
【００３４】
分電盤１７は、供給される電力を各負荷機器１８に分配する。
【００３５】
図１において、電力制御システム１０に接続される負荷機器１８は、任意の数とすることができる。これらの負荷機器１８は、例えば、テレビ、エアコン、冷蔵庫など、種々の電化製品である。これらの負荷機器１８は分電盤１７を介してパワーコンディショナ１４に接続されて、電力が供給される。
【００３６】
次に、本実施形態に係る表示装置１１について、さらに説明する。
【００３７】
図２は、本実施形態に係る表示装置１１の概略構成を示す機能ブロック図である。表示装置１１は、専用に設計された端末とする他、モバイル端末、パソコン（ＰＣ）、ノートパソコン、またはタブレットＰＣなどにアプリケーションソフトウェアをインストールしたものとするなど、各種の端末とすることができる。表示装置１１は、表示部１９、入力検出部２０、制御部２１、およびインターフェース２２を含んで構成される。
【００３８】
表示部１９は、例えば液晶ディスプレイ（ＬＣＤ）または有機ＥＬディスプレイ等により構成することができる。また、本実施形態において、表示部１９は、単色表示またはグレイスケールによって表示するものを用いることもできるが、一般のユーザが一見して容易に把握できるような態様で表示を行うために、カラー表示に対応したものを用いるのが好適である。
【００３９】
表示部１９は、管理装置１２が作成するグラフ画像を表示する。また、表示部１９は、管理装置１２の有する機能を実行させるための様々な入力を受付けるための画像を表示可能である。
【００４０】
入力検出部２０は、表示部１９における表示に対応する入力を検出する。入力検出部２０は、例えばタッチパネルであり、ユーザが指などにより直接触れる操作を検出可能である。また、入力検出部２０は、マルチタッチ、すなわち、入力検出部２０の接触検出面上の複数の箇所への接触を検出可能である。
【００４１】
タッチパネルは透過性の部材により形成され、表示部１９の前面に重ねて配置される。このような構成により、表示部１９に表示したアイコンのオブジェクトなどへの接触を検出可能である。したがって、このような構成のタッチパネルによる入力検出部２０は、ユーザに柔軟な操作性を提供可能である。また、もちろんタッチパネルではなく、ポインティングデバイスを有するタイプの操作手段を入力検出部２０として採用してもよい。
【００４２】
制御部２１は、表示装置１１を構成する各機能部を制御することにより、表示装置１１全体を制御および管理する。制御部２１による、本実施形態に特有の制御については後述する。
【００４３】
インターフェース２２は、例えば管理装置１２と無線通信を行う。すなわち、インターフェース２２は管理装置１２に制御信号および／または情報を送信するとともに、管理装置１２からの制御信号および／または情報を受信する。インターフェース２２は、表示装置１１が有線通信で管理装置１２と通信する場合は、管理装置１２に接続されたケーブルを表示装置１１に接続するためのコネクタのレセプタクルとすることができる。
【００４４】
次に、本実施形態に係る管理装置１２について、さらに説明する。
【００４５】
図３は、本実施形態に係る管理装置１２の概略構成を示す機能ブロック図である。管理装置１２は、例えばＨＥＭＳであって、受信部２３および制御部２４を含んで構成される。
【００４６】
受信部２３は、例えばインターフェースであり、表示装置１１、スマートメータ１３、パワーコンディショナ１４、および負荷機器１８との間における制御部２４からの制御信号および様々な情報を送受信する。
【００４７】
例えば、受信部２３は、スマートメータ１３から、商用電源５０の買電の電力および／または売電の電力を取得可能である。さらに、受信部２３は、スマートメータ１３を介して例えば電力会社などから需要応答（Ｄｅｍａｎｄ  Ｒｅｓｐｏｎｓｅ：ＤＲ）の情報を取得可能である。また、受信部２３は、パワーコンディショナ１４から、太陽光発電システム１５、蓄電部１６、および商用電源５０から分電盤１７で複数に分岐した支幹を介して負荷機器１８に供給される電力について、各支幹に設けたセンサを介して取得可能である。また、受信部２３は、パワーコンディショナ１４から、蓄電部１６に充電される電力（つまり充電電力）量についても直接取得可能である。また、受信部２３は、各負荷機器１８から消費電力についても直接取得可能である。また、受信部２３は、ネットワーク７０から多様な情報を取得可能である。
【００４８】
さらに、受信部２３は表示装置１１から制御信号を取得可能であり、また受信部２３は表示装置１１に電力制御システム１０における電力の制御および管理の状態を示す情報を通知する。
【００４９】
制御部２４は、受信部２３が取得する様々な情報に基づいて、電力制御システム１０における各機器の電力を制御する制御信号および／または表示装置１１に通知する情報を生成する。また、制御部２４は、電力制御システム１０における各機器の電力を管理するために、受信部２３が取得する情報を蓄積する。
【００５０】
制御部２４は収集した各種の情報を蓄積するために、データベース２５を有している。データベース２５は、任意のメモリ装置などにより構成することができ、管理装置１２の外部に接続されるようにしてもよいし、管理装置１２に内蔵されるようにしてもよい。
【００５１】
制御部２４は、受信部２３が取得する電力の瞬時値を瞬時値のままデータベース２５に蓄積する。また、制御部２４は、瞬時値に基づいて、電力の積算値を算出する。制御部２４は、算出した積算値を、瞬時値とは別にデータベース２５に蓄積する。
【００５２】
次に、本実施形態に係る管理装置１２の制御部２４が作成するグラフ画像の具体例を説明する。
【００５３】
制御部２４は、一例として、図４に示すような商用電源５０からの電力の供給量の履歴を示すグラフ画像を作成する。制御部２４は、作成したグラフ画像を表示装置１１に通知し、表示部１９に表示させる。
【００５４】
制御部２４が作成するグラフ画像の横軸は時間を示す軸である。図４に示す横軸は、２０１２年１月１日における１日分の時間範囲を示している。制御部２４は、表示装置１１の入力検出部２０がユーザによる時間範囲を変更する操作を検出すると、受信部２３を介してその情報（該当日における時あるいは分ごとの詳細な消費電力データ）を取得し、横軸の時間範囲を変更したグラフ画像を作成する。
【００５５】
表示装置１１の入力検出部２０は、ユーザによる横軸の時間範囲を変更する指示として、２通りの操作を検出することができる。
【００５６】
１つ目の操作は、図４において横軸の下に表示されている時間範囲を示す複数のオブジェクトから１つのオブジェクトを選択する操作である。図４に示す例においては、表示装置１１は、時間範囲を示すオブジェクトとして、「時」、「日」、「週」、「月」および「年」の５つのオブジェクトを表示している。ユーザがこれらの複数のオブジェクトから１つのオブジェクトを選択（タッチ）すると、入力検出部２０は、当該選択を検出して制御部２４に通知する。制御部２４は、受信部２３を介して当該通知を取得し、選択されたオブジェクトに対応する時間範囲に横軸を変更したグラフを作成する。この際、制御部２４は、選択されたオブジェクトの表示態様を変更する。例えば、制御部２４は、図４における「日」を示すオブジェクトのように、選択されたオブジェクトを「木の葉」の画像が重畳されたオブジェクトに変更する。
【００５７】
２つ目の操作は、表示部１９のグラフ画像上において、異なる２箇所をタッチし、さらにタッチしたまま２箇所の接触位置を接近または離間させる操作である。以後、２箇所の接触位置を接近させる操作を「ピンチイン」、２箇所の接触位置を離間させる操作を「ピンチアウト」とも称する。
【００５８】
図４に示すようなグラフ画像において、入力検出部２０がピンチイン操作を検出すると、制御部２１はインターフェース２２を介して当該検出結果あるいはこれに応じた描画データ変更要求を制御部２４に通知する。制御部２４は、受信部２３を介して当該通知を取得し、時間範囲を縮小したグラフ画像を作成する。例えば、制御部２４は時間範囲を１週間とする横軸を作成し、さらに、「週」を示すオブジェクトの表示態様を変更する。例えば、制御部２４は、「週」を示すオブジェクトを「木の葉」の画像が重畳されたオブジェクトに変更する。
【００５９】
また、図４に示すようなグラフ画像において、入力検出部２０がピンチアウト操作を検出すると、制御部２１はインターフェース２２を介して当該検出結果あるいはこれに応じた描画データ変更要求を制御部２４に通知する。制御部２４は、受信部２３を介して当該通知を取得し、時間範囲を拡大したグラフ画像を作成する。例えば、制御部２４は時間範囲を１時間とする横軸を作成し、さらに、「時」を示すオブジェクトの表示態様を変更する。例えば、制御部２４は、「時」を示すオブジェクトを「木の葉」の画像が重畳されたオブジェクトに変更する。
【００６０】
なお、上記の説明においては、オブジェクトの態様を変更する例として、節電の観点から、自然物である「木の葉」を意匠化した画像を重畳する例を示したが、これはあくまでも一例であって、オブジェクトの態様の変更方法をこれに限定するものではない。
【００６１】
制御部２４が作成するグラフ画像の縦軸は電力の瞬時値または積算値である。図４は、縦軸が電力の瞬時値の遷移である例を示している。制御部２４は、横軸の時間範囲に応じて電力の瞬時値と積算値のいずれを縦軸とするかを決定する。
【００６２】
図５は、制御部２４が縦軸を電力の積算値として、商用電源５０からの電力の供給量の履歴を示すグラフ画像を作成した場合の例である。制御部２４は、所定の閾値を有し、時間範囲が閾値未満である場合は、縦軸を電力の瞬時値として折れ線グラフのグラフ画像を作成し、時間範囲が閾値以上である場合は、縦軸を電力の積算値として棒グラフのグラフ画像を作成する。図５は、横軸の時間範囲が１ヶ月のように長い場合に、制御部２４が縦軸を電力の積算値としてグラフ画像を作成した場合を示す。また、図４は、横軸の時間範囲が１日のように短い場合に、制御部２４が縦軸を電力の瞬時値とした場合を示す。これにより、制御部２４は、時間範囲に応じて視認性を向上させたグラフ画像を作成ことができる。制御部２４は、設定により閾値を任意に変更することができる。
【００６３】
続いて、図６に示すフローチャートを参照しながら、管理装置１２の制御部２４が時間範囲を変更したグラフ画像を作成し表示装置１１に表示させる処理について説明する。
【００６４】
制御部２４は、入力検出部２０がユーザによる時間範囲を変更する操作を検出したか否かを判定する（ステップＳ１０１）。ステップＳ１０１においてＮｏと判定した場合は、制御部２４は、ステップＳ１０１を繰り返す。
【００６５】
ステップＳ１０１においてＹｅｓと判定した場合は、制御部２４は、入力検出部２０が検出した操作が、（ａ）ピンチイン・ピンチアウト操作と（ｂ）時間範囲を示すオブジェクトを選択する操作とのいずれであるかを判定する（ステップＳ１０２）。
【００６６】
ステップＳ１０２において、（ａ）ピンチイン・ピンチアウト操作を検出したと判定した場合は、制御部２４は、ピンチイン・ピンチアウト操作に対応する時間範囲のデータをデータベース２５から読み出す（ステップＳ１０３）。
【００６７】
制御部２４は、ステップＳ１０３で読み出したデータを用いて、時間範囲を変更したグラフ画像を作成する。この際、制御部２４は、変更後の時間範囲を示すオブジェクトの表示態様を変更する（ステップＳ１０４）。
【００６８】
制御部２４は、ステップＳ１０４において作成したグラフ画像を表示装置１１に送信し、表示部１９に表示させる（ステップＳ１０５）。
【００６９】
ステップＳ１０２において、（ｂ）時間範囲を示すオブジェクトを選択する操作を検出したと判定した場合は、制御部２４は、選択されたオブジェクトに対応する時間範囲のデータをデータベース２５から読み出す（ステップＳ１０６）。
【００７０】
制御部２４は、ステップＳ１０６で読み出したデータを用いて、時間範囲を変更したグラフ画像を作成する。この際、制御部２４は、選択されたオブジェクトの表示態様を変更する（ステップＳ１０７）。
【００７１】
制御部２４は、ステップＳ１０７において作成したグラフ画像を表示装置１１に送信し、表示部１９に表示させる（ステップＳ１０８）。
【００７２】
このように第１の実施形態の管理装置１２によれば、ユーザは２通りの操作方法で、需要家におけるエネルギーに関する変量の履歴を表示するグラフ画像の時間範囲を柔軟に変更することができる。
【００７３】
また、第１の実施形態の管理装置１２によれば、グラフ画像に表示される電力の単位を切替えるときにグラフの種類も切替えるので、単位が切替わったことをユーザに容易に認識させることが可能である。
【００７４】
また、第１の実施形態の管理装置１２によれば、グラフ画像に表示される電力の単位を切替える閾値を変更可能なので、ユーザの好みに応じて表示を切替えさせることも可能である。
【００７５】
次に、本発明の第２の実施形態を説明する。第２の実施形態ではグラフ画像の作成を表示装置が行う点において第１の実施形態と異なっている。以下に、第１の実施形態と異なる点を中心に第２の実施形態について説明する。なお、第１の実施形態と同じ機能および構成を有する部位には同じ符号を付す。すなわち、第１の実施形態においては制御部２４にて形成した画像を表示装置１１側のブラウザで閲覧するケース、第２の実施形態においては制御部２４０にて収集した消費電力の数値データを表示装置１１０が取得し、表示装置１１０側のアプリケーションにより画像を描画する、といったケースを例として想定している。
【００７６】
図７に示すように、第２の実施形態における電力制御システム１００は、表示装置１１０、管理装置１２０、スマートメータ１３、パワーコンディショナ１４、太陽光発電システム１５、および蓄電部１６を含んで構成される。スマートメータ１３、パワーコンディショナ１４、太陽光発電システム１５、および蓄電部１６の構成および機能は、第１の実施形態と同じである。
【００７７】
図８に示すように、表示装置１１０は、表示部１９、入力検出部２０、制御部２１０、およびインターフェース２２を含んで構成される。表示部１９、入力検出部２０、およびインターフェース２２の機能および構成は第１の実施形態と同じである。
【００７８】
第１の実施形態と同様に、制御部２１０は表示装置１１０を構成する各機能部を制御する。第１の実施形態と異なり、制御部２１０はグラフ画像を作成する。グラフ画像を作成するために、入力検出部２０が入力を検出すると、制御部２１０は必要な電力の情報を管理装置１２０に要求する。制御部２１０は要求した電力の情報を取得し、グラフ画像を作成する。制御部２１０は、作成したグラフ画像を表示部１９に表示させる。
【００７９】
図９に示すように、管理装置１２０は、受信部２３および制御部２４０を含んで構成される。受信部２３の構成および機能は第１の実施形態と同じである。
【００８０】
第１の実施形態と同様に、制御部２４０は電力制御システム１００における各機器の電力を制御する制御信号および／表示装置１１０に通知する情報を生成する。また、第１の実施形態と同様に、制御部２４０は、電力制御システム１００における各機器の電力を管理するために、受信部２３が取得する情報を蓄積する。また、第１の実施形態と同様に、制御部２４０はデータベース２５を有している。また、第１の実施形態と同様に、制御部２４０は瞬時値に基づいて、電力の積算値を算出する。
【００８１】
第１の実施形態と異なり、制御部２４０は、グラフ画像の作成を行わない。上述のように、表示装置１１０の制御部２１０が電力の情報を要求するときに、グラフ画像を作成することなく当該情報を制御部２１０に通知する。
【００８２】
続いて、図１０に示すフローチャートを参照しながら、表示装置１１０の制御部２１０が時間範囲を変更したグラフ画像を作成し表示部１９に表示させる処理について説明する。
【００８３】
制御部２１０は、入力検出部２０がユーザによる時間範囲を変更する操作を検出したか否かを判定する（ステップＳ２０１）。ステップＳ２０１においてＮｏと判定した場合は、制御部２１０は、ステップＳ２０１を繰り返す。
【００８４】
ステップＳ２０１においてＹｅｓと判定した場合は、制御部２１０は、入力検出部２０が検出した操作が、（ａ）ピンチイン・ピンチアウト操作と（ｂ）時間範囲を示すオブジェクトを選択する操作とのいずれであるかを判定する（ステップＳ２０２）。
【００８５】
ステップＳ２０２において、（ａ）ピンチイン・ピンチアウト操作を検出したと判定した場合は、制御部２１０は、ピンチイン・ピンチアウト操作に対応する時間範囲のデータを管理装置１２０に要求する（ステップＳ２０３）。
【００８６】
制御部２１０は、ステップＳ２０３で要求したデータを用いて、時間範囲を変更したグラフ画像を作成する。この際、制御部２１０は、変更後の時間範囲を示すオブジェクトの表示態様を変更する（ステップＳ２０４）。
【００８７】
制御部２１０は、ステップＳ２０４において作成したグラフ画像を表示部１９に表示させる（ステップＳ２０５）。
【００８８】
ステップＳ２０２において、（ｂ）時間範囲を示すオブジェクトを選択する操作を検出したと判定した場合は、制御部２１０は、選択されたオブジェクトに対応する時間範囲のデータを管理装置１２０に要求する（ステップＳ２０６）。
【００８９】
制御部２１０は、ステップＳ２０６で要求したデータを用いて、時間範囲を変更したグラフ画像を作成する。この際、制御部２１０は、選択されたオブジェクトの表示態様を変更する（ステップＳ２０７）。
【００９０】
制御部２１０は、ステップＳ２０７において作成したグラフ画像を表示部１９に表示させる（ステップＳ２０８）。
【００９１】
このように第２の実施形態の表示装置１１０によっても、ユーザは２通りの操作方法で、需要家におけるエネルギーに関する変量の履歴を表示するグラフ画像の時間範囲を柔軟に変更することができる。
【００９２】
本発明を諸図面や実施形態に基づき説明してきたが、当業者であれば本開示に基づき種々の変形や修正を行うことが容易であることに注意されたい。従って、これらの変形や修正は本発明の範囲に含まれることに留意されたい。
【００９３】
例えば、第１の実施形態および第２の実施形態において、電力の履歴に関するグラフ画像が作成され、表示する時間範囲に応じて電力の単位が切替えられる構成であるが、グラフ画像が作成されるのは電力の履歴に限定されずエネルギー全般であってもよい。例えば、ガスの流量および水道水の供給量などの変量の履歴を示すグラフ画像が作成され、時間範囲に応じて表示単位が瞬時値および積算値に切替えられる構成であってもよい。
【００９４】
また、グラフ画像に関しては、需要家全体での消費電力に関する遷移を示す態様にて実施形態を説明したが、需要家全体の消費電力ではなく、負荷機器単位、あるいは分電盤の支幹単位といった細かい単位での消費電力遷移を示すよう構成してもよい。さらに、消費電力だけではなく、太陽光発電システムからの発電電力の系統への売電電力の遷移、あるいは需要家に備えた蓄電池への充電状況の遷移を示すようなグラフ画像を対象としてもよい。
【００９５】
また、第１の実施形態および第２の実施形態において、入力検出部２０はタッチパネルであるが、専用のコントローラ、キーボード、マウスなど、各種の入力装置を採用してもよい。このような入力装置を採用する場合、入力検出部２０は、表示部１９に表示したアイコンのオブジェクトなどの箇所までカーソルまたはポインタなどを移動させる入力を検出可能である。また、入力検出部２０は、このようなオブジェクトなどの表示に対応する入力、すなわちオブジェクトなどを選択する入力を検出可能である。
【符号の説明】
【００９６】
１０、１００  電力制御システム
１１、１１０  表示装置
１２、１２０  管理装置
１３  スマートメータ
１４  パワーコンディショナ
１５  太陽光発電システム
１６  蓄電部
１７  分電盤
１８  負荷機器
１９  表示部
２０  入力検出部
２１、２１０  制御部
２２  インターフェース
２３  受信部
２４、２４０  制御部
２５  データベース
５０  商用電源
６０  系統ＥＭＳ
６１  データベース
７０  ネットワーク
【図１】
2014020840.tif 000003
【図２】
2014020840.tif 000004
【図３】
2014020840.tif 000005
【図４】
2014020840.tif 000006
【図５】
2014020840.tif 000007
【図６】
2014020840.tif 000008
【図７】
2014020840.tif 000009
【図８】
2014020840.tif 000010
【図９】
2014020840.tif 000011
【図１０】
2014020840.tif 000012